(57)【要約】【課題】モバイル装置を結合した講演補助システムの提供。 【解決手段】本発明のモバイル装置を結合した講演補助システムは、講演者が講演を行なう時、制御装置を利用して表示装置を制御して講演補助映像を表示し、それと同時に集音装置でリアルタイムで講演音声を収集し、並びに該制御装置に伝送し、該制御装置は該講演音声を受け取った後、音声認識モジュールによりリアルタイムで該講演音声を第１講演スクリプトに変換し、並びに翻訳モジュールにより該第１講演スクリプトを第１講演訳文に翻訳し、聴講者はモバイル装置を利用して該第１講演訳文を表示するか第１講演訳文の音声を再生し、聴講者が講演内容を理解するのを補助する効果を達成する。【選択図】図１
2016042356.tif 000002
【特許請求の範囲】
【請求項１】
モバイル装置を結合した講演補助システムにおいて、
リアルタイムで講演音声を収集する集音装置と、
該集音装置に接続されると共に該講演音声をリアルタイムで収集する制御装置であって、
該講演音声をリアルタイムで第１講演スクリプトに変換する音声認識モジュールと、
該音声認識モジュールに電気的に接続されて、該第１講演スクリプトを第１講演訳文へとリアルタイムで翻訳する翻訳モジュールと、
を包含する、上記制御装置と、
該制御装置に接続されて、該制御装置の制御を受けて講演補助映像を表示する表示装置と、
該制御装置に接続されて、モバイルアプリを通してリアルタイムで該第１講演訳文を取得するモバイル装置と、
を包含することを特徴とする、モバイル装置を結合した講演補助システム。
【請求項２】
モバイル装置を結合した講演補助システムにおいて、
リアルタイムで講演音声を収集する集音装置と、
該集音装置に接続されると共に該講演音声をリアルタイムで収集する制御装置であって、リアルタイムで該講演音声を第１講演スクリプトへと変換する音声認識モジュールを包含する、上記制御装置と、
該制御装置に接続されて、該制御装置の制御を受けて講演補助映像を表示する表示装置と、
該制御装置に接続されて、モバイルアプリを通して該第１講演スクリプトを取得するモバイル装置であって、該モバイルアプリは該第１講演スクリプトをリアルタイムで第１講演訳文へと翻訳する翻訳モジュールを包含する、上記モバイル装置と、
を包含することを特徴とする、モバイル装置を結合した講演補助システム。
【請求項３】
モバイル装置を結合した講演補助システムにおいて、
リアルタイムで講演音声を収集する集音装置と、
該集音装置に接続されると共に該講演音声をリアルタイムで収集する制御装置と、
該制御装置に接続されて、該制御装置の制御を受けて講演補助映像を表示する表示装置と、
モバイル装置であって、該制御装置に接続され、モバイルアプリを通してリアルタイムで該講演音声を取得し、該モバイルアプリは該講演音声をリアルタイムで変換して第１講演スクリプトとなす音声認識モジュールと、該第１講演スクリプトをリアルタイムで翻訳して第１講演訳文となす翻訳モジュールとを包含する、上記モバイル装置と、
を包含することを特徴とする、モバイル装置を結合した講演補助システム。
【請求項４】
請求項１記載のモバイル装置を結合した講演補助システムにおいて、該制御装置は該講演補助映像内で指示範囲を形成し、並びに該指示範囲内の文字より第２講演スクリプトを生成することを特徴とする、モバイル装置を結合した講演補助システム。
【請求項５】
請求項４記載のモバイル装置を結合した講演補助システムにおいて、該制御装置の該翻訳モジュールは、該第２講演スクリプトをリアルタイムで翻訳して第２講演訳文となし、並びに該モバイル装置は該モバイルアプリによりリアルタイムで該第２講演訳文を取得することを特徴とする、モバイル装置を結合した講演補助システム。
【請求項６】
請求項２又は３記載のモバイル装置を結合した講演補助システムにおいて、該制御装置は該講演補助映像内で指示範囲を形成し、並びに該指示範囲内の文字より第２講演スクリプトを生成することを特徴とする、モバイル装置を結合した講演補助システム。
【請求項７】
請求項６記載のモバイル装置を結合した講演補助システムにおいて、該モバイル装置は、該制御装置より該第２講演スクリプトを受け取り、並びに該モバイルアプリの該翻訳モジュールにより、該第２講演スクリプトをリアルタイムで翻訳して第２講演訳文となすことを特徴とする、モバイル装置を結合した講演補助システム。
【請求項８】
請求項５又は７記載のモバイル装置を結合した講演補助システムにおいて、該モバイル装置は、リアルタイムで該第２講演訳文を表示するか、或いは、リアルタイムで該第２講演訳文の音声を再生することを特徴とする、モバイル装置を結合した講演補助システム。
【請求項９】
請求項１乃至３のいずれか記載のモバイル装置を結合した講演補助システムにおいて、撮影装置をさらに包含し、該撮影装置は該制御装置に接続され、リアルタイムで講演映像を撮影し並びに該講演映像を該制御装置に伝送することを特徴とする、モバイル装置を結合した講演補助システム。
【請求項１０】
請求項８記載のモバイル装置を結合した講演補助システムにおいて、該講演映像は、該表示装置に表示される該講演補助映像を包含することを特徴とする、モバイル装置を結合した講演補助システム。
【請求項１１】
請求項８記載のモバイル装置を結合した講演補助システムにおいて、該制御装置はさらに、映像認識モジュールを包含し、該映像認識モジュールはリアルタイムで該講演映像内の文字を認識して第３講演スクリプトを生成することを特徴とする、モバイル装置を結合した講演補助システム。
【請求項１２】
請求項１０記載のモバイル装置を結合した講演補助システムにおいて、該映像認識モジュールは該翻訳モジュールに電気的に接続され、並びに該翻訳モジュールにより該第３講演スクリプトをリアルタイムで翻訳して第３講演訳文となし、且つ該モバイル装置はリアルタイムで該第３講演訳文を取得することを特徴とする、モバイル装置を結合した講演補助システム。
【請求項１３】
請求項２又は３記載のモバイル装置を結合した講演補助システムにおいて、撮影装置をさらに包含し、該撮影装置は該制御装置に接続され、リアルタイムで講演映像を撮影し並びに該制御装置へと伝送することを特徴とする、モバイル装置を結合した講演補助システム。
【請求項１４】
請求項１３記載のモバイル装置を結合した講演補助システムにおいて、該講演映像は、該表示装置に表示される該講演補助映像を包含することを特徴とする、モバイル装置を結合した講演補助システム。
【請求項１５】
請求項１３記載のモバイル装置を結合した講演補助システムにおいて、該制御装置はさらに、映像認識モジュールを包含し、該映像認識モジュールはリアルタイムで該講演映像内の文字を認識して第３講演スクリプトを生成することを特徴とする、モバイル装置を結合した講演補助システム。
【請求項１６】
請求項１５記載のモバイル装置を結合した講演補助システムにおいて、該モバイル装置は該制御装置より該第３講演スクリプトを取得し、並びに該モバイルアプリの該翻訳モジュールにより、該第３講演スクリプトをリアルタイムで翻訳して第３講演訳文となすことを特徴とする、モバイル装置を結合した講演補助システム。
【請求項１７】
請求項１３記載のモバイル装置を結合した講演補助システムにおいて、該モバイルアプリはさらに映像認識モジュールを包含し、該映像認識モジュールは該翻訳モジュールに電気的に接続され、該モバイル装置は該制御装置よりリアルタイムで該講演映像を取得し、並びに該モバイルアプリの該映像認識モジュールによりリアルタイムで該講演映像内の文字を認識して第３講演スクリプトを生成し、該モバイルアプリの該翻訳モジュールにより、該第３講演スクリプトをリアルタイムで翻訳して第３講演訳文となすことを特徴とする、モバイル装置を結合した講演補助システム。
【請求項１８】
請求項１２、１６或いは１７のいずれか記載のモバイル装置を結合した講演補助システムにおいて、該モバイル装置はリアルタイムで該第３講演訳文を表示するか、リアルタイムで該第３講演訳文の音声を再生することを特徴とする、モバイル装置を結合した講演補助システム。
【請求項１９】
請求項１乃至３のいずれか記載のモバイル装置を結合した講演補助システムにおいて、該モバイル装置はリアルタイムで該第１講演訳文を表示するか、リアルタイムで該第１講演訳文の音声を再生することを特徴とする、モバイル装置を結合した講演補助システム。
【請求項２０】
請求項１乃至３のいずれか記載のモバイル装置を結合した講演補助システムにおいて、該制御装置はさらにアンケートモジュールを包含し、該モバイル装置は該制御装置より該アンケートモジュールが伝送するデジタルアンケートを受け取り、並びにアンケート回答を送り返し、該アンケートモジュールは該アンケート回答を統計してアンケート統計結果を生成し、且つ該アンケート統計結果を該表示装置に表示することを特徴とする、モバイル装置を結合した講演補助システム。
【発明の詳細な説明】
【技術分野】
【０００１】
本発明は一種の、モバイル装置を結合した講演補助システムに係り、特に、一種の、講演音声を収集し、並びに該講演音声をリアルタイムに認識、翻訳して各種言語の訳文となし、モバイル装置により指定言語の訳文を取得でき、こうして聴講者が講演内容に対して効率的に理解できるように補助するシステムに関する。
【背景技術】
【０００２】
この百年間に、交通と情報テクノロジーの発展は、人類の伝統的な生活方式を覆し、交通の進歩は人と物資をグローバルに迅速に流通させ、インターネットは代表的な情報テクノロジーとされ、すなわち、情報と知識は境界を超えて迅速に伝送及び複製され、また資金も極めて短時間内に大量に移動し、地理的な境界の意義は次第に曖昧となり、打破され、人と人との心理的距離も圧縮され、人々は世界を一つの全体として見始め、「地球は平らである」のようなグローバル意識が起こり、全世界は、地球村の形象がますます鮮明となっている。
【０００３】
１９８０年代より、「グローバライゼーション」というワードが、一般民衆の間で流行するのみならず、学術上、注目されている研究議題の一つとなっており、「グローバライゼーション」現象は、経済、政治及び文化等の領域を満たし、有形の商品と無形のサービスが、便利に国を跨いで流動し、並びに取り引き可能となり、各種の生産要素或いは資源は、世界の範囲内で、最も有利な配置を達成する機会を有するようになり、それと同時に世界各国は経済的に相互に依存させられ、さらに政治上の影響の連動を発生するようになった。
【０００４】
文化面では、インターネットの存在により、情報の伝播は人や商品に較べてより迅速となり、知識と観念はグローバルに共有される重要な資産となる。しかし、各国、各民族間の言語の違いが形成する隔たりは、情報の交流を阻み、たとえば、現在簡単にネット上で他の国家の学者が演説するビデオを探し出すか、或いはその他の国家で開かれる討論会に参加し、講演者が外国人である講演を聴講できるようになったが、このとき、その使用する言語を熟知しているか否かが、講演内容に対する理解に大幅に影響を与える。
【発明の概要】
【発明が解決しようとする課題】
【０００５】
本発明の主要な目的は、一種の、モバイル装置を結合した講演補助システムを提供することにあり、それは講演者の講演音声を収集し、並びに講演音声をリアルタイムに認識し、各種言語に翻訳し、さらに聴講者がモバイル装置を介して指定言語の訳文を取得することで、聴講者にリアルタイムで且つカスタマイズされた講演音声翻訳サービスを提供し、聴講者の講演内容に対する理解の効率をアップする。
【０００６】
本発明の次の目的は、一種の、モバイル装置を結合した講演補助システムを提供することにあり、それは講演者が講演補助映像中で指示する文字をリアルタイムで認識して各種言語の訳文となし、さらに聴講者がモバイル装置を通して指定言語の訳文を取得し、聴講者にリアルタイムで且つカスタマイズされた講演文字翻訳サービスを提供し、聴講者の講演内容に対する理解の効率をアップする。
【０００７】
本発明の別の目的は、一種の、モバイル装置を結合した講演補助システムを提供することにあり、それは講演者の講演映像を撮影し並びに講演映像内の文字をリアルタイムで認識し各種言語の訳文に翻訳し、さらに聴講者がモバイル装置で指定言語の訳文を取得し、こうして聴講者にリアルタイムで且つカスタマイズした講演文字翻訳サービスを提供し、聴講者の講演内容に対する理解の効率をアップする。
【０００８】
本発明のまた一つの目的は、一種の、モバイル装置を結合した講演補助システムを提供することにあり、それは聴講者がモバイル装置を通して取得した電子問題に回答して送り返した問題答案を統計し、並びに表示し、聴講者が意見を講演者にフィードバックするのに協力し、講演者と聴講者の間の交流の目的を達成する。
【課題を解決するための手段】
【０００９】
上述の目的を達成するため、本発明は一種のモバイル装置を結合した講演補助システムを提供し、それは、集音装置、制御装置、表示装置及びモバイル装置を包含し、該集音装置、該表示装置及び該モバイル装置はそれぞれ該制御装置に接続され、該制御装置は並びに音声認識モジュールと翻訳モジュールを包含し、該翻訳モジュールは該音声認識モジュールと電気的に接続される。
【００１０】
講演者が講演する時、該制御装置を利用して該表示装置を制御して講演補助映像を表示し、且つ該集音装置はリアルタイムに講演音声を収集し並びに該制御装置に伝送し、該制御装置は該講演音声を受信した後、該音声認識モジュールによりリアルタイムで該講演音声を第１講演スクリプトに変換し、並びに該翻訳モジュールが該第１講演スクリプトを第１講演訳文に翻訳する。聴講者は該モバイル装置内にインストールされたモバイルアプリを利用して、該第１講演訳文を取得し、並びに該モバイル装置に該第１講演訳文を表示するか或いは該第１講演訳文の音声を再生することができる。
【００１１】
本発明はまた、一種のモバイル装置を結合した講演補助システムを提供し、それは、集音装置、制御装置、表示装置及びモバイル装置を包含し、該集音装置、該表示装置及び該モバイル装置はそれぞれ該制御装置に接続され、該制御装置は並びに音声認識モジュールを包含し、且つ該モバイル装置内にインストールされたモバイルアプリが翻訳モジュールを包含する。
【００１２】
講演者が講演を行なう時、該制御装置を利用して該表示装置を制御し講演補助映像を表示し、且つ該集音装置がリアルタイムで講演音声を収集し並びに該制御装置に伝送し、該制御装置は該講演音声を受信した後、該音声認識モジュールによりリアルタイムに該講演音声を第１講演スクリプトに変換する。聴講者は該モバイル装置内にインストールされたモバイルアプリを利用して該第１講演スクリプトを取得し、並びに該翻訳モジュールにより該第１講演スクリプトを翻訳して第１講演訳文となし、且つ該モバイル装置に該第１講演訳文を表示するか該第１講演訳文の音声を再生する。
【００１３】
本発明はまた、一種のモバイル装置を結合した講演補助システムを提供し、それは、集音装置、制御装置、表示装置及びモバイル装置を包含し、該集音装置、該表示装置及び該モバイル装置はそれぞれ該制御装置に接続され、該制御装置は並びに音声認識モジュールを包含し、且つ該モバイル装置内にインストールされたモバイルアプリが音声認識モジュールと翻訳モジュールを包含する。
【００１４】
講演者が講演を行なう時、該制御装置を利用して該表示装置を制御し講演補助映像を表示し、且つ該集音装置がリアルタイムで講演音声を収集し並びに該制御装置に伝送する。聴講者は該モバイル装置内にインストールされたモバイルアプリを利用して該講演音声を取得し、該音声認識モジュールによりリアルタイムで該講演音声を変換して第１講演スクリプトとなし、並びに該翻訳モジュールにより該第１講演スクリプトを翻訳して第１講演訳文となし、且つ該モバイル装置において該第１講演訳文を表示するか或いは該第１講演訳文の音声を再生する。
【発明の効果】
【００１５】
異なる言語を使用する講演者と聴講者の間で行なう講演の効果を改善するため、本発明者は、モバイル装置に結合された講演補助システムを提供し、講演者が講演を行なう時に、制御装置を利用して表示装置を制御して講演補助映像を表示し、それと同時に集音装置によりリアルタイムで講演音声を収集し並びに制御装置に伝送し、音声認識モジュールによりリアルタイムに講演音声を講演スクリプトに変換し、さらに翻訳モジュールにより講演スクリプトを講演訳文へと翻訳し、聴講者はモバイル装置を使用して制御装置とオンラインし、並びに講演訳文を表示するか講演訳文の音声を再生し、こうして聴講者の講演内容に対する理解の効率をアップする補助を行なう。
【図面の簡単な説明】
【００１６】
【図１】本発明の構成要素の関係表示図である。
【図２】本発明の好ましい実施例の構成要素の関係表示図である。
【図３】本発明の別の好ましい実施例の構成要素の関係表示図である。
【図４】本発明のまた別の好ましい実施例の構成要素の関係表示図である。
【発明を実施するための形態】
【００１７】
以下に本発明の技術内容、構造特徴、達成する目的及び作用効果について、以下に例を挙げ並びに図面を組み合わせて詳細に説明する。
【００１８】
本発明が提示するモバイル装置を結合した講演補助システムは、その特色が以下のとおりであり、すなわち、講演者の講演音声を収集した後に、講演音声をリアルタイムで認識し並びに各種言語の訳文に翻訳し、聴講者はモバイル装置のモバイルアプリを通して最終的に必要な言語の訳文を取得する。また、本発明は講演者が講演補助映像中で指示した文字或いは書き出した文字に対して翻訳を行ない、聴講者がフィードバックするデジタルアンケート回答結果を統計及び表示し、聴講者が講演内容を理解するのをより助け、並びに講演者と聴講者の間の意見交流の目的を達成する。
【００１９】
図１を参照されたい。それは本発明の構成要件関係表示図である。図示されるように、本発明のモバイル装置を結合した講演補助システムは、少なくとも、集音装置１０、制御装置１２、表示装置１４及びモバイル装置２０を包含する。該集音装置１０、該表示装置１４及び該モバイル装置２０はそれぞれ該制御装置１２に接続される。
【００２０】
講演を行なうとき、講演者３０は該制御装置１２を操作し、該表示装置１４に講演補助映像１４０を表示し、並びに該集音装置１０により講演音声を収集し、並びに該講演音声を該制御装置１２に伝送する。聴講者３２は該モバイル装置２０により該制御装置１２に接続する。
【００２１】
図１と共に図２を参照されたい。図２は本発明の第１実施例の構成要件関係表示図である。図示されるように、本実施例のモバイル装置を結合した講演補助システム中、該制御装置１２はさらに、音声認識モジュール１２０と翻訳モジュール１２２を包含し、該翻訳モジュール１２２は該音声認識モジュール１２０に電気的に接続され、該集音装置１０が該講演音声を収集し並びに該制御装置１２に伝送した後、まず該音声認識モジュール１２０が該講演音声を第１講演スクリプトに変換し、さらに、該翻訳モジュール１２２が該第１講演スクリプトを翻訳して第１講演訳文となす。該モバイル装置２０はモバイルアプリ２００により、該制御装置１２より該第１講演訳文を取得した後、該第１講演訳文を表示するか、或いは該第１講演訳文の音声を再生し、聴講者３２が講演者３０の講演内容を理解するのを補助する。
【００２２】
上述の装置の設置により、本発明のモバイル装置を結合した講演補助システムは、講演者の講演過程中の講演音声を、リアルタイムで認識して第１講演スクリプトを発生し、第１講演スクリプトをさらにリアルタイムで翻訳して第１講演訳文を生成し、モバイル装置のモバイルアプリを利用して第１講演訳文を表示するか音声再生し、聴講者が講演内容を理解する効率をアップする。
【００２３】
このほか、講演者３０は該制御装置１２を通して該講演補助映像１４０内に指示範囲を形成することによって、聴講者３２に該講演補助映像中のポイントを提示することができ、該制御装置１２はリアルタイムに該指示範囲内の文字より第２講演スクリプトを生成することができる。本実施例中、該制御装置１２が有する該翻訳モジュール１２２は、リアルタイムで該第２講演スクリプトを翻訳して第２講演訳文となすことができ、該モバイル装置２０は並びに該モバイルアプリ２００により、該制御装置１２より該第２講演訳文を取得し、該モバイル装置２０において該第２講演訳文を表示するか該第２講演訳文の音声を再生する。
【００２４】
上述の構成要件の設置により、本発明のモバイル装置を結合した講演補助システムは、講演者が講演過程中に、講演補助映像中で指示した文字を第２講演スクリプトとなし、該第２講演スクリプトをさらにリアルタイムで翻訳して第２講演訳文を生成し、モバイル装置のモバイルアプリを利用して第２講演訳文を表示するか音声再生し、第１講演訳文と組み合わせて、聴講者の聴講の効果を強化する。
【００２５】
図１と図２に示されるように、本発明のモバイル装置を結合した講演補助システムは、さらに撮影装置１６を包含し、且つ該制御装置１２はさらに映像認識モジュール１２４を包含し、該撮影装置１６は該制御装置１２に接続され、講演映像を撮影して該講演映像１６０を該制御装置１２に伝送し、該制御装置１２は該講演映像を取得した後、該映像認識モジュール１２４によりリアルタイムで該講演映像内の文字を認識し（該講演補助映像内には文字或いは講演者３０が別に書いた文字が含まれ得る）、第３講演スクリプトを生成する。本実施例中、該制御装置１２は、それが包含する該翻訳モジュール１２２が、リアルタイムで該第３講演スクリプトを翻訳して第３講演訳文となし、該モバイル装置２０はまた該モバイルアプリ２００を通し、該制御装置１２より該第３講演訳文を取得し、該モバイル装置２０は該第３講演訳文を表示するか、該第３講演訳文の音声を再生する。
【００２６】
上述の装置の設置により、本発明のモバイル装置を結合した講演補助システムは、講演者の講演過程中に、講演補助映像中で指示するか或いは別に書いた文字を第３講演スクリプトとなし、第３講演スクリプトをさらにリアルタイムで翻訳して、第３講演訳文となし、モバイル装置のモバイルアプリを利用して第３講演訳文を表示するか音声再生し、第１講演訳文或いは第２講演訳文と組み合わせて、よりよい聴講補助の効果を達成する。
【００２７】
図２を参照されたい。本実施例のモバイル装置を結合した講演補助システムの該制御装置１２はさらに、アンケートモジュール１２６を包含し、該アンケートモジュール１２６内にデジタルアンケートを保存でき、講演者３０は聴講者３２に、該モバイル装置２０の該モバイルアプリ２００を通して該制御装置１２に接続し、並びに該アンケートモジュール１２６より該デジタルアンケートを取得して回答するように要求でき、聴講者３２がそれぞれ該デジタルアンケートのアンケート回答を送り返した後、該アンケートモジュール１２６はこれらのアンケート回答を統計し、並びに該表示装置１４により該デジタルアンケートの統計結果を表示することができる。
【００２８】
上述の構成要件の設置により、本発明のモバイル装置を結合した講演補助システムは、デジタルアンケートを通して聴講者に向けてアンケート調査を行なえ、講演者が聴講者の意見を収集できるようにし、こうして講演者と聴講者の間の交流を強化する。
【００２９】
図１と図３を参照されたい。図３は本発明の第２実施例の構成要件関係表示図である。図示されるように、本実施例のモバイル装置を結合した講演補助システム中、該制御装置１２はさらに、音声認識モジュール１２０を包含し、且つ該モバイル装置２０の該モバイルアプリ２００はさらに翻訳モジュール２００２を包含し、該集音装置１０が該講演音声を収集し並びに該制御装置１２に伝送した後、まず、該音声認識モジュール１２０が該講演音声を第１講演スクリプトに変換する。該モバイル装置２０はモバイルアプリ２００を通して該制御装置１２より該第１講演スクリプトを取得した後、該翻訳モジュールにより該第１講演スクリプトを翻訳して第１講演訳文となし、該モバイル装置２０は該第１講演訳文を表示するか或いは該第１講演訳文の音声を再生し、こうして聴講者３２が講演者３０の講演内容を理解するのを助ける。
【００３０】
本実施例中、講演者３０は同様に、該制御装置１２を通して、該講演補助映像内で指示範囲を形成して聴講者３２に提示することができ、該制御装置１２はリアルタイムで該指示範囲内の文字より第２講演スクリプトを生成し、該モバイル装置２０は該モバイルアプリ２００を通して該第２講演スクリプトを取得し、並びに該翻訳モジュール２００２を通してリアルタイムで該第２講演スクリプトを第２講演訳文となし、該モバイル装置２０は該第２講演訳文を表示するか該第２講演訳文の音声を再生する。
【００３１】
このほか、本実施例のモバイル装置を結合した講演補助システムは、該制御装置１２に接続された撮影装置１６を包含し、且つ該制御装置１２は映像認識モジュール１２４を包含する。該撮影装置１６が講演映像を撮影して該講演映像１６０を該制御装置１２に伝送した後、該制御装置１２は該映像認識モジュール１２４により該講演映像内の文字を認識して第３講演スクリプトを生成し、その後、該モバイル装置２０は該モバイルアプリ２００を通して該第３講演スクリプトを取得し、並びに該翻訳モジュール２００２により該第３講演スクリプトをリアルタイムで翻訳して第３講演訳文を生成し、該モバイル装置２０において該第３講演訳文を表示するか、該第３講演訳文の音声を再生する。
【００３２】
上述の装置の設置により、本発明のモバイル装置を結合した講演補助システムは、講演者の講演過程中の講演音声、講演補助映像において指示される文字、及び別に書かれた文字より、各種の講演スクリプトを発生し、講演スクリプトをリアルタイムで翻訳して各種の講演訳文を表示するか音声再生し、聴講者が講演内容を理解するのを補助する効果を達成する。
【００３３】
さらに図３を参照されたいが、本実施例は同様に、該制御装置１２内に具えられたアンケートモジュール１２６により講演過程中のアンケート調査と統計結果の表示を実行し、この部分は第１実施例と同じであるため、重複した説明は行なわない。
【００３４】
図１に図４を併せて参照されたい。それは本発明の第３実施例の構成要件の関係表示図である。図示されるように、本実施例のモバイル装置を結合した講演補助システムによると、該モバイル装置２０の該モバイルアプリ２００はさらに、音声認識モジュール２０００と翻訳モジュール２００２を包含する。該集音装置１０は、該講演音声を収集して該制御装置１２へと伝送し、該モバイル装置２０はモバイルアプリ２００を通して該制御装置１２より該講演音声を取得し、並びに該モバイルアプリ２００の有する音声認識モジュール２０００により、該講演音声を変換して第１講演スクリプトとなし、その後、該翻訳モジュール２００２は該第１講演スクリプトを翻訳して第１講演訳文となし、該モバイル装置２０は該第１講演訳文を表示するか、該第１講演訳文の音声を再生し、こうして聴講者３２が講演者３０による講演の内容を理解する補助を行なう。
【００３５】
本実施例中、該制御装置１２は、同様に、講演者３０が該講演補助映像内で形成した該指示範囲内の文字を、第２講演スクリプトとなし、該モバイル装置２０は該モバイルアプリ２００を通して該第２講演スクリプトを取得し、該翻訳モジュール２００２によりリアルタイムで該第２講演スクリプトを翻訳して第２講演訳文を生成し、並びに該モバイル装置２０において該第２講演訳文を表示するか或いは該第２講演訳文の音声を再生し、聴講者３２を補助する。
【００３６】
このほか、本実施例の、モバイル装置を結合した講演補助システムはさらに、該制御装置１２に接続された撮影装置１６を包含してもよく、且つ該モバイル装置２０の該モバイルアプリ２００はさらに、映像認識モジュール２００４を包含する。該撮影装置１６が講演映像を撮影し並びに該講演映像１６０を該制御装置１２に送った後、該モバイル装置２０は該モバイルアプリ２００を通して該講演映像を取得し、並びに該映像認識モジュール２００４によりリアルタイムで該講演映像内の文字を認識して第３講演スクリプトを生成し、その後、該モバイルアプリ２００はその有する該翻訳モジュール２００２を利用し、リアルタイムで該第３講演スクリプトを翻訳して第３講演訳文となし、該モバイル装置２０において該第３講演訳文を表示するか、該第３講演訳文の音声を再生する。
【００３７】
上述の構成要件の設置により、本発明のモバイル装置を結合した講演補助システムは、同様に、講演者の講演過程中の講演音声、講演補助映像において指示した文字、及び別に書いた文字をリアルタイムで変換し並びに翻訳して各種の講演訳文となし、さらに、モバイル装置により講演訳文を表示するか音声再生することで、聴講者の聴講補助の効果を達成することができる。
【００３８】
さらに図４を参照されたい。本実施例は同様に、該制御装置１２内にさらに有するアンケートモジュール１２６により、講演過程中のアンケート調査と統計結果の表示を実行できる。この部分は第１実施例、第２実施例と同じであるため、ここで重複して説明を行なわない。
【００３９】
総合すると、本発明のモバイル装置を結合した講演補助システム中、集音装置を利用して講演者の講演音声を収集し、並びに制御装置或いはモバイル装置内の音声認識モジュールにより、リアルタイムで講演音声を第１講演スクリプトに変換し、且つ制御装置或いはモバイル装置内の翻訳モジュールによりリアルタイムで第１講演スクリプトを第１講演訳文となし、並びにモバイル装置により第１講演訳文を表示するか第１講演訳文の音声を再生し、こうして聴講者が講演の内容を理解するのを補助する。また、講演者が講演補助映像内で指示した指示範囲内に含まれる文字或いは別に書いた文字も、制御装置により、或いは撮影装置に組み合わされた制御装置或いはモバイル装置内の映像認識モジュールにより第２講演スクリプト或いは第３講演スクリプトを制し得し、並びに制御装置或いはモバイル装置内の翻訳モジュールによりリアルタイムで第２講演スクリプト或いは第３講演スクリプトを翻訳して第２講演訳文或いは第３講演訳文を生成し、十分に、より良好に、聴講者が聴講するのを補助することができる。また、モバイル装置を利用して制御装置内のアンケートモジュールが提供するデジタルアンケートに対して回答でき、さらに、アンケートモジュールがデジタルアンケートに対する調査結果を統計することで、講演者と聴講者の間に良好な意見交流を達成させることができる。
【００４０】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【００４１】
本発明は新規性、進歩性、及び産業上の利用性を有し、特許の要件を満たしていることは明らかであり、ここに特許出願を行なう次第です。
【符号の説明】
【００４２】
１０  集音装置
１２  制御装置
１２０  音声認識モジュール
１２２  翻訳モジュール
１２４  映像認識モジュール
１２６  アンケートモジュール
１４  表示装置
１６  撮影装置
２０  モバイル装置
２００  モバイルアプリ
２０００  音声認識モジュール
２００２  翻訳モジュール
２００４  映像認識モジュール
３０  講演者
３２  聴講者
【図１】
2016042356.tif 000003
【図２】
2016042356.tif 000004
【図３】
2016042356.tif 000005
【図４】
2016042356.tif 000006